(57)【要約】【課題】単一の収納ケースに２枚の記録媒体を収納できる収納ケースを得ること、また、記録媒体と収納ケースとの嵌合係止を確実にすると同時に、当該嵌合の解除を容易にする。【解決手段】本体１０に収納皿部１１を具備し、また、蓋体４０に蓋側収納部４１１を設けて、単一の収納ケースの中に２枚の記録媒体９ａ、９ｂを収納する。本体１０と蓋体４０は合成樹脂製の可撓性を有する一枚シートからなる。本体フランジ１６を板紙と遊離可能で、かつ、台紙と表紙間に挟み込んで取り付けている。【選択図】図２
2011143926.tif 000002
【特許請求の範囲】
【請求項１】
ディスク形状の記録媒体を収納する記録媒体の収納ケースにおいて、
記録媒体を収納する収納皿部を備える本体と、蓋内面に蓋側収納部を備え、前記収納皿部を覆う蓋体からなり、前記本体と前記蓋体が連続した二つ折り型であり、
前記本体は合成樹脂製の可撓性を有する一枚シートからなる一体物であり、
前記蓋体は合成樹脂製の可撓性を有する一枚シートからなる一体物であり、
前記本体の前記収納皿部は本体底板と前記本体底板の外周縁より立ち上がる縦壁からなり、前記本体は前記縦壁の上端から前記本体の外側に向けて張り出す環状の本体フランジを有し、
前記本体は、さらに、前記本体底板の中央部に本体底板から収納皿部側に突出した本体係止部を有し、前記本体係止部は第一記録媒体のスピンドル穴に係止し第一記録媒体を保持するものであり、
前記本体係止部の中央部は窪みである蓋止凹部であり、
前記蓋体は、蓋天板と蓋天板の外周縁より蓋内面側に立ち上がる溝内壁と、前記溝内壁の上端より蓋体の外側に向けて張り出した環状の溝梁部と、前記溝梁部の外周縁より立ち下がる溝外壁を有し、前記溝内壁、溝梁部と溝外壁により形成される保護溝を備え、前記保護溝は前記収納皿部の内周に入り込む大きさであり、
前記蓋体は、さらに、前記溝外壁の下端から蓋体の外側に向けて張り出す環状の蓋フランジを有し、
前記蓋天板の中央部に蓋天板から蓋内面側に突出した蓋側係止部を有し、蓋側係止部天板に、蓋内面側に突出した蓋止突起部を有し、
前記蓋側係止部は第二記録媒体のスピンドル穴に係止し第二記録媒体を保持するものであり、
前記本体フランジの一部分が延長されて本体連続部が形成され、前記蓋フランジの一部分が延長されて蓋体連続部が形成され、前記本体連続部と蓋体連続部が折り曲げ線を挟んで連続しており、
前記折り曲げ線から折り曲げて、前記蓋止突起部を前記蓋止凹部に係止することにより前記蓋体を前記本体に被せて固定するものであって、固定時に前記溝梁部と前記本体底板が接触する記録媒体の収納ケース。
【請求項２】
印刷物にディスク形状の記録媒体を綴じ込む為に用いる、記録媒体の収納ケースを板紙に取り付けた記録媒体綴じ込み頁部材において、
請求項１に記載した記録媒体の収納ケースと板紙からなり、
前記収納ケースにあって、前記本体フランジの幅は、前記蓋フランジの幅よりも大きく、
前記板紙は、台紙と表紙からなり、
前記台紙は台紙窓穴を有し、前記台紙窓穴は前記収納皿部が入り込む大きさであり、
前記表紙は表紙窓穴を有し、前記表紙窓穴は前記蓋フランジ及び蓋体連続部が入り込む大きさであり、
前記台紙の前記台紙窓穴に前記収納皿部を入れて、前記表紙窓穴並びに、前記蓋フランジ及び蓋体連続部が重なり合う配置に、前記台紙、前記収納ケースと前記表紙を重ね、前記台紙と前記表紙が直接接する領域を接着し、前記本体フランジを前記板紙と遊離可能で、かつ、前記台紙と前記表紙間に挟み込んで取り付けた記録媒体綴じ込み頁部材。
【請求項３】
前記収納ケースは前記蓋体に、前記蓋フランジの一部であって、前記蓋体連続部の対面側の一部分から、外方に向って突出する指係りタブを設け、
前記表紙の一部であって、前記指係りタブが位置する領域をタブ埋め込み領域とし、前記タブ埋め込み領域の輪郭線にミシン目切断線を設けたことを特徴とする請求項２に記載した記録媒体綴じ込み頁部材。
【発明の詳細な説明】
【技術分野】
【０００１】
本発明は、ＣＤ（コンパクトディスク）やＤＶＤ等のディスク形状の記録媒体を収納する収納ケースに関するものである。また、本発明は上記記録媒体を書籍や雑誌に綴じ込みすることに好適な、ディスク形状の記録媒体綴じ込み頁部材に関するものである。
【背景技術】
【０００２】
従来のディスク型記録媒体の綴じ込み頁部材は収納ケースと板紙からなる。当該収納ケースは、ディスク型記録媒体のスピンドル穴を嵌合させるセンターピースが凸設された本体と、該本体に被せる蓋体とを備えたディスク型記録媒体の収納ケースであって、センターピースにホックの片方側が形成され、蓋体にそのホックの他方側が形成され、ホックを係止して本体と蓋体を閉じるものである。同時に、蓋体は、記録媒体を収納する円形の凹部と、該凹部の周縁に沿って突出する環状のフランジ部を有している。
【０００３】
板紙は窓穴が穿設されている。そして、窓穴に、蓋体の凹部の外面側を嵌め込むと同時に、フランジ部を板紙の表面に接着剤で貼り付けて固定している。（例えば、特許文献１参照。）。
【先行技術文献】
【特許文献】
【０００４】
【特許文献１】登録実用新案公報第３１３３６４６号
【発明の概要】
【発明が解決しようとする課題】
【０００５】
上記従来の綴じ込み頁部材は、書籍などの運搬、持ち運び中に記録媒体が飛び出すことがなく、また、開封後にも、繰り返し取り出しと収納が可能な収納ケースである。
【０００６】
しかし、従来の収納ケースは、単一の収納ケース内に単一の記録媒体を収納するものである。また、本体に記録媒体を取り付けた状態のまま、本体を動かして本体と蓋体とのフックを解除する必要がある。このフック解除動作中に、記録媒体がセンターピースとの係合を放れて飛び出す不測の事態を防ぐため、記録媒体と収納ケースとの嵌合の解除に強い力を必要とする設計となっている。このため操作者は取り出し操作にあたり記録媒体の破損、とりわけスピンドル穴の破損を懸念することになる。
【０００７】
そこで、本発明は、収納ケースにあって、単一の収納ケースに２枚の記録媒体を収納できる収納ケースを得ることを課題とする。
【０００８】
また、本発明は、綴じ込み頁部材にあって、記録媒体と収納ケースとの嵌合係止を確実にすると同時に、当該嵌合の解除を容易とした綴じ込み頁部材を得ることを課題とする。
【０００９】
本発明のその他の課題は、本発明の説明により明らかになる。
【課題を解決するための手段】
【００１０】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、個別の部品などを示す場合に当該数字のあとにアルファベットの添字を付けているものがある。
【００１１】
本発明の一の態様にかかる記録媒体の収納ケースは、
ディスク形状の記録媒体を収納する記録媒体の収納ケースにおいて、
記録媒体を収納する収納皿部（１１）を備える本体（１０）と、蓋内面（４１）に蓋側収納部（４１１）を備え、前記収納皿部を覆う蓋体（４０）からなり、前記本体と前記蓋体が連続した二つ折り型であり、
前記本体は合成樹脂製の可撓性を有する一枚シートからなる一体物であり、
前記蓋体は合成樹脂製の可撓性を有する一枚シートからなる一体物であり、
前記本体の前記収納皿部は本体底板（１２）と前記本体底板の外周縁（１３）より立ち上がる縦壁（１４）からなり、前記本体は前記縦壁の上端（１５）から前記本体の外側に向けて張り出す環状の本体フランジ（１６）を有し、
前記本体は、さらに、前記本体底板の中央部に本体底板から収納皿部側に突出した本体係止部（１９１）を有し、前記本体係止部は第一記録媒体のスピンドル穴（９１ａ）に係止し第一記録媒体（９ａ）を保持するものであり、
前記本体係止部の中央部は窪みである蓋止凹部（２２）であり、
前記蓋体（４０）は、蓋天板（４２）と蓋天板の外周縁（４２１）より蓋内面側に立ち上がる溝内壁（４３）と、前記溝内壁の上端（４３１）より蓋体の外側に向けて張り出した環状の溝梁部（４４）と、前記溝梁部の外周縁（４４１）より立ち下がる溝外壁（４５）を有し、前記溝内壁、溝梁部と溝外壁により形成される保護溝（４６）を備え、前記保護溝は前記収納皿部の内周に入り込む大きさであり、
前記蓋体は、さらに、前記溝外壁の下端（４５１）から蓋体の外側に向けて張り出す環状の蓋フランジ（４７）を有し、
前記蓋天板の中央部に蓋天板から蓋内面側に突出した蓋側係止部（４１１）を有し、蓋側係止部天板（５１３）に、蓋内面側に突出した蓋止突起部（５１５）を有し、
前記蓋側係止部（５１１）は第二記録媒体のスピンドル穴（９１ｂ）に係止し第二記録媒体（９ｂ）を保持するものであり、
前記本体フランジの一部分が延長されて本体連続部（１７）が形成され、前記蓋フランジの一部分が延長されて蓋体連続部（４８）が形成され、前記本体連続部と蓋体連続部が折り曲げ線を挟んで連続しており、
前記折り曲げ線から折り曲げて、前記蓋止突起部（５１５）を前記蓋止凹部（２２）に係止することにより前記蓋体を前記本体に被せて固定するものであって、固定時に前記溝梁部（４４）と前記本体底板（１２）が接触する。
【００１２】
本発明の他の態様にかかる記録媒体綴じ込み頁部材は、
印刷物にディスク形状の記録媒体を綴じ込む為に用いる、記録媒体の収納ケースを板紙に取り付けた記録媒体綴じ込み頁部材において、
本発明にかかる記録媒体の収納ケースと板紙（７）からなり、
前記収納ケースにあって、前記本体フランジの幅は、前記蓋フランジの幅よりも大きく、
前記板紙は、台紙（７０）と表紙（８０）からなり、
前記台紙は台紙窓穴（７１）を有し、前記台紙窓穴は前記収納皿部が入り込む大きさであり、
前記表紙は表紙窓穴（８１）を有し、前記表紙窓穴は前記蓋フランジ及び蓋体連続部が入り込む大きさであり、
前記台紙の前記台紙窓穴に前記収納皿部を入れて、前記表紙窓穴並びに、前記蓋フランジ及び蓋体連続部が重なり合う配置に、前記台紙、前記収納ケースと前記表紙を重ね、前記台紙と前記表紙が直接接する領域を接着し、前記本体フランジを前記板紙と遊離可能で、かつ、前記台紙と前記表紙間に挟み込んで取り付けた。
【００１３】
本発明の好ましい実施態様にかかる記録媒体綴じ込み頁部材にあっては、
前記収納ケースは前記蓋体に、前記蓋フランジの一部であって、前記蓋体連続部の対面側の一部分から、外方に向って突出する指係りタブ（５２）を設け、
前記表紙の一部であって、前記指係りタブが位置する領域をタブ埋め込み領域（８４）とし、前記タブ埋め込み領域の輪郭線にミシン目切断線を設けたものであってもよい。
【００１４】
本好ましい実施態様によれば、流通段階では指係りタブが台紙と表紙の間に挟まれているので収納ケースが不測の事態で開くことが無い。そして、購入者に渡り、タブ埋め込み領域輪郭線のミシン目が切断された後は、指係りタブにより収納ケースの開蓋操作がより一層容易な記録媒体綴じ込み頁部材となる。
【００１５】
以上説明した本発明、本発明の好ましい実施態様、これらに含まれる構成要素は可能な限り組み合わせて実施することができる。
【発明の効果】
【００１６】
本発明の一の態様にかかる収納ケースは、その他の特徴とともに、本体に収納皿部を具備し、また、蓋体に蓋側収納部を設けたので、単一の収納ケースの中に２枚の記録媒体を収納できるという利点を有する。
【００１７】
本発明の他の態様にかかる記録媒体綴じ込み頁部材は、その他の特徴とともに、本体フランジを板紙と遊離可能で、かつ、前記台紙と前記表紙間に挟み込んで取り付けている。また、収納ケースの蓋板に保護溝を備え、前記保護溝は前記収納皿部の内周に入り込む大きさである。
【００１８】
本記録媒体綴じ込み頁部材において、収納ケースの収納皿部から記録媒体を取り出す操作は、本体係止部を記録媒体方向に押し込む操作であり、本体が板紙と遊離可能であるから、可撓性を有する一枚シートである本体が自由に撓むことができるため、容易となる。また、蓋側収納部から記録媒体を取り出す操作は、蓋側係止部を記録媒体方向に押し込む操作であり、可撓性を有する一枚シートである蓋体が自由に撓むことができるため、容易となる。
【００１９】
さらに、収納ケースと板紙が遊離状態に取り付けられていて、万一移動運搬中に記録媒体が、台紙窓穴中を振動する不測の事態が生じても、当該振動による外力は保護溝によって吸収される。さらに一枚のシートからなる一体物であるので、製造コストは安価である。
【図面の簡単な説明】
【００２０】
【図１】図１は記録媒体綴じ込み頁部材の組み立て説明図である。
【図２】図２は収納ケースの斜視図である。
【図３】図３は収納ケースの説明図であり、図３（ａ）は平面図、図３（ｂ）は図３（ａ）中のＡ−Ｂ線で示す直線の断面図である。
【図４】図４は収納ケース内に記録媒体を収納し、蓋体を閉じた状態を示す断面説明図である。
【図５】図５は本体と記録媒体との係合を解放する操作の説明図であり、図５（ａ）は解放操作開始時の説明図であり、図５（ｂ）は解放直後の説明図である。
【発明を実施するための形態】
【００２１】
以下、図面を参照して本発明の実施例にかかる収納ケースと記録媒体綴じ込み頁部材をさらに説明する。本明細書において参照する各図は、本発明の理解を容易にするため、一部の構成要素を誇張して表すなど模式的に表しているものがある。このため、構成要素間の寸法や比率などは実物と異なっている場合がある。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２２】
記録媒体綴じ込み頁部材１は収納ケース２を板紙に取り付けたものである。板紙は台紙７０と表紙８０を重ね合わせたものである。
【００２３】
収納ケース２は本体１０と蓋体４０からなる。本体１０と蓋体４０は折り曲げ線５６を境に連続している。通常、本体と蓋体は一体成形される。したがって本体と蓋体が連続した一体物である。もっとも、本発明において、本体と蓋体は個別に作成し、その後に連結してもよい。
【００２４】
本体１０は記録媒体９を収納する収納皿部１１を有している。蓋体４０は蓋内面４１に蓋側収納部４１１を有している。蓋体４０は本体１０に被せられ、収納皿部１１を蓋内面４１で覆うものである。
【００２５】
本体１０と蓋体４０は合成樹脂製の可撓性を有する一枚シートからなる。合成樹脂は、例えば、ポリプロピレン樹脂、ポリエチレン樹脂、ハイインパクトスチレン樹脂などが使用できる。シートは、例えば、厚さが０．２ｍｍ〜０．４ｍｍである。成形は、例えば、真空成形を行えばよい。
【００２６】
本体１０と蓋体４０は可撓性と弾力性を有する。後述するように、本体１０を撓ませて本体から第一記録媒体９ａを取り出し、また、蓋体４０を撓ませて蓋体から第二記録媒体９ｂを取り出す。このため、本体１０と蓋体４０は、指で力を加えれば撓む程度の可撓性を持ち、外力がなくなれば元の形状に戻る程度の弾力性を持つ。
【００２７】
本体１０に形成された収納皿部１１は、本体底板１２と縦壁１４に囲まれた扁平な円柱状である。縦壁１４は本体底板の外周縁１３から立ち上がっている。縦壁１４は円形の本体底板１２を一周している。
【００２８】
また、本体１０は本体フランジ１６を有している。本体フランジ１６は縦壁の上端１５から本体の外側に向けて張り出している。本体フランジ１６は一周する縦壁の全領域に設けられていて、その形状は環状である。
【００２９】
本体１０は、また、本体底板１１の中央部に、本体底板から収納皿部内側に突出した本体係止部１９１を有している。本体係止部１９１は第一記録媒体９ａのスピンドル穴９１ａに係止して、第一記録媒体を収納ケース内に保持するものである。
【００３０】
本体係止部１９１の中央部は窪みである蓋止凹部２２である。蓋止凹部２２の形状は角部が丸みを帯びた正四角柱である。蓋止凹部２２は、後に説明する係止部上蓋止突起部５１５と係合する。係止部上蓋止突起部５１５は、蓋側係止部５１１の天板である蓋側係止部天板５１３の上に形成された蓋止突起部である。係止部上蓋止突起部５１５はその外周形状が円柱である。
【００３１】
収納皿部１１の中央部分で本体底板１２から本体係止部立ち上り壁１９２が立上っている。本体係止部立ち上り壁１９２は円形に一周している。本体係止部１９１は本体係止部立ち上り壁１９２に取り巻かれた円柱形状部分である。
【００３２】
本体係止部立ち上り壁１９２は上端から内側に折れ曲がっていて、本体係止部天板１９３を形成する。本体係止部天板１９３はその内周部分で下に折れ曲がって、本体係止部立ち下り壁１９４を形成する。本体係止部立ち下り壁１９４に囲まれる部分は蓋止凹部２２である。本体係止部天板１９３は平面視で環状である。
【００３３】
本体天板１２から本体係止部天板１９３までの高さは、縦壁１４の半分程度である。本体係止部天板１９３の上に円形間隔部分１９５が形成されている。円形間隔部分１９５は４個あり、等間隔に形成されている。
【００３４】
蓋体４０は、円形の蓋天板４２を有し、蓋天板の外周縁４２１から蓋内面４１側に立ち上がる溝内壁４３を有する。溝内壁４３は円形の蓋天板４２を一周している。溝内壁の上端４３１から蓋体の外周側に向けて溝梁部４４が張り出している。溝梁部４４は溝内壁の一周全てから張り出していて、その形状は環状である。溝梁部の外周縁４４１から溝外壁４５が立ち下がっている。
【００３５】
溝内壁４３、溝梁部４４と溝外壁４５に囲まれて、保護溝４６が形成される。保護溝４６の溝外壁４３は、収納皿部１１の内周にちょうど入り込む大きさである。
【００３６】
溝外壁の下端４５１から蓋体の外周側に向けて蓋フランジ４７が張り出している。蓋フランジ４７は、溝外壁４５の一周全てに形成されていて、その形状は環状である。
【００３７】
蓋体４０に形成された蓋側収納部４１１は、蓋天板４２と溝内壁４３に囲まれた扁平な円柱状である。
【００３８】
蓋側収納部４１１の中央部分で蓋天板４２が蓋内面４１側に折れ曲がって立ち上がり、蓋側係止部立ち上り壁５１２を形成している。蓋側係止部立ち上り壁５１２の平面形状は、２つの扇型を互いの要部分で連結した形状である。当該２つの扇型の円周部分は、単一の円弧を形成している。当該円弧形状部分が蓋側係止部５１１である。汎用されているディスク型記録媒体はそのスピンドル穴が直径１５ｍｍ程度である。このため、本体係止部１９１の直径と蓋側係止部５１１の内接円の直径は、通常、１５ｍｍ程度である。
【００３９】
蓋側係止部立ち上り壁５１２は上端で内側に折れ曲がって蓋側係止部天板５１３を形成する。蓋側係止部天板５１３はその内側端部で折れ曲がって立ち上り、突起部立ち上り壁５１４の一部を形成する。一方、上記扇型の連結で切り欠き状態となっている部分では、蓋天板４２から直接立上った縦壁が上方に延長されて、突起部立ち上り壁５１４の一部となる。
【００４０】
円柱形状の係止部上蓋止突起部５１５は突起部立ち上り壁５１４に取り巻かれて形成されている。蓋天板４２から蓋側係止部天板５１３までの高さは、溝内壁４３の高さの半分程度である。蓋側係止部天板５１３の上に方形間隔部分５１６が形成されている。方形間隔部分５１６は４個有り、互いに等しい間隔で形成されている。
【００４１】
すでに述べたように、係止部上蓋止突起部５１５は円柱状である。係止部上蓋止突起部５１５は蓋止凹部２２と係止して本体１０に蓋体４０が被さった状態を保持するものであり、これらの係止状態を保持可能で、かつ、解放可能であれば、その形状に制限はない。例えば、係止部上蓋止突起部５１５を正四角柱や正六角柱状にしてもよい。また、例えば、蓋止凹部２２の形状を円柱形状にしてもよい。
【００４２】
本体フランジ１６の一部分が延長されて本体連続部１７が形成されている。蓋フランジ４７の一部分が延長されて蓋体連続部４８が形成されている。本体連続部１７と蓋体連続部４８は折り曲げ線５６を挟んで連続している。折り曲げ線５６はカットとアンカットを連続した線である。もっとも、折り曲げ線５６はカットなしで、折り目をクセ付けた線であってもよい。
【００４３】
矢印１８で示す本体フランジの幅は、矢印４９で示す蓋フランジの幅よりも大きい。このため、収納ケースの蓋体を閉じた状態で、蓋フランジ４７に覆われない本体フランジ１６の食み出し領域が存在する。
【００４４】
蓋フランジ４７の一部は蓋体の外側に突出させて指係りタブ５２を形成している。蓋体４０の中で、指係りタブ５２は、蓋体連続部４８から蓋天板４２の中心部に在る蓋止突起部５１を挟んで、反対側に在る。
【００４５】
図４は収納ケース内に記録媒体を収納し、蓋体を閉じた状態を示す断面説明図である。収納ケースは折り曲げ線５６で折り曲げて、係止部上蓋止突起部５１５を蓋止凹部２２に係止することにより蓋体を本体に被せて固定している。
【００４６】
第一記録媒体９ａが収納皿部１１内に収納されている。第二記録媒体９ｂが蓋側収納部４１１内に収納されている。従って、単一の収納ケース内に２枚の記録媒体が収納されている。
【００４７】
蓋体を閉じた状態で、保護溝４６の溝梁部４４と本体底板１２が接触している。蓋止凹部２２に係止部上蓋止突起部５１５が嵌合した状態で、円形間隔部分１９５の先端部が蓋側天板５１３に当接し、方形間隔部分５１６の先端部が本体係止部天板１９３に当接する。円形間隔部分１９５と方形間隔部分５１６は、収納皿部１１と蓋側収納部４１１の間に間隙を保持するスペーサである。円形間隔部分１９５と方形間隔部分５１６及び保護溝４６を配置したので、第一記録媒体と第二記録媒体が擦れ合うことなく収納される。
【００４８】
第一記録媒体９ａと第二記録媒体９ｂの外周は保護溝４６に取り巻かれ、第一記録媒体９ａと第二記録媒体９ｂは不測の外力に起因する衝撃から保護される。
【００４９】
台紙７０には台紙窓穴７１が貫通している。表紙８０には表紙窓穴８１が貫通している。表紙窓穴８１は蓋フランジ通過部８２と蓋体連続部通過部８３を合わせた形状である。蓋フランジの内周に蓋天板があるので、蓋フランジ通過部８２を蓋フランジと蓋天板が通過する。
【００５０】
次に収納ケース２を板紙に固定する。台紙窓穴７１に収納皿部１１を入れて、表紙窓穴８１並びに、蓋フランジ及び蓋体連続部が重なり合う配置に、前記台紙、前記収納ケースと前記表紙を重ねる。
【００５１】
台紙７０と表紙８０が直接接する領域を接着する。本体フランジ１６の食み出し領域を板紙と遊離可能で、かつ、台紙７０と表紙８０間に挟み込んで取り付ける。すなわち、本体フランジ１６と台紙７０が当接する領域に、接着剤などの固着手段は無い。また、本体フランジ１６と表紙８０が当接する領域に、接着剤などの固着手段は無い。
【００５２】
収納ケース２を板紙に固定する時に、指係りタブ５２はタブ埋め込み領域８４に覆われる。
【００５３】
次に、記録媒体綴じ込み頁部材から記録媒体を取り出す操作を説明する。
【００５４】
まず、タブ埋め込み領域の輪郭線をミシン目から切り離し、当該領域を覆う表紙を取り除く。そして、指係りタブを手がかりにして、本体から蓋体を開く。
【００５５】
図５（ａ）を参照して、本体の周辺部６６を矢印６２に示す上向き力で支えつつ、本体係止部１９１に矢印６１に示す下向き力を加える。図５（ｂ）に図示したように、本体底板の周辺部６３が撓み、本体係止部１９１とスピンドル穴の係止が解放される。本体フランジは板紙と遊離しているので、このとき、本体底板などはほぼ制限なく撓むことができる。
【００５６】
以上、第一記録媒体９ａと本体係止部１９１の係止を解除する操作を説明した。第二記録媒体９ｂと蓋側係止部５１１の係止を解除する操作についても同じである。
【符号の説明】
【００５７】
１    記録媒体綴じ込み頁部材
２    収納ケース
９ａ    第一記録媒体
９ｂ    第二記録媒体
１０  本体
１１  収納皿部
１２  本体底板
１４  縦壁
１６  本体フランジ
１７  本体連続部
２２  蓋止凹部
４０  蓋体
４１  蓋内面
４２  蓋天板
４２１  蓋天板の外周縁
４３  溝内壁
４３１  溝内壁の上端
４４  溝梁部
４４１  溝梁部の外周縁
４５  溝外壁
４５１  溝外壁の下端
４６  保護溝
４７  蓋フランジ
４８  蓋体連続部
５２  指係りタブ
５６  折り曲げ線
７０  台紙
７１  台紙窓穴
８０  表紙
８１  表紙窓穴
８２  蓋フランジ通過部
８３  蓋体連続部通過部
８４  タブ埋め込み領域
９１ａ  スピンドル穴
９１ｂ  スピンドル穴
１９１  本体係止部
１９３  本体係止部天板
１９５  円形間隔部分
４１１  蓋側収納部
５１１  蓋側係止部
５１３  蓋側係止部天板
５１５  蓋止突起部である係止部上蓋止突起部
５１６  方形間隔部分
【図１】
2011143926.tif 000003
【図２】
2011143926.tif 000004
【図３】
2011143926.tif 000005
【図４】
2011143926.tif 000006
【図５】
2011143926.tif 000007